(57)【要約】      （修正有）【課題】被服、衣類、布地、寝具、タオルなどの被表示体の着心地、使い心地を阻害することなく高度の情報の伝達が可能で、耐水性、耐薬品性、耐熱性、耐摩耗性、耐圧性等に優れた薄型表示体及びその効率的な製造方法を提供する。【解決手段】被表示体の襟元又は裏面上等の所定個所に装着されて用いられる、各種情報を表示及び伝達することが可能な薄型表示体１０であって、一面上に各種情報２が表示された基材３ａと、基材３ａの他面上に配設された第１の樹脂層５、各種情報を伝達することが可能な記録担体４及び第２の樹脂層６から構成された記録担体ユニット７とを備えたものとし、記録担体ユニット７を、第１の樹脂層５側から基材３ａの他面上に配設してなるとともに、記録担体４を、第１の樹脂層５及び第２の樹脂層６の間に挟持、密封した状態で記録担体ユニット７を構成する。【選択図】図１
2005331917.tif 000002
【特許請求の範囲】
【請求項１】
被表示体の所定個所に装着されて用いられる、各種情報を表示及び伝達することが可能な薄型表示体であって、
一面上に前記各種情報が表示された基材と、前記基材の他面上に配設された、厚さが５０〜２００μｍの第１の樹脂層、前記各種情報を伝達することが可能な記録担体及び厚さが５０〜２００μｍの第２の樹脂層から構成された記録担体ユニットとを備えてなり、
前記記録担体ユニットが、前記第１の樹脂層側から前記基材の他面上に配設されてなるとともに、前記記録担体が、前記第１の樹脂層及び前記第２の樹脂層の間に挟持、密封された状態で前記記録担体ユニットを構成してなることを特徴とする薄型表示体。
【請求項２】
被表示体の所定個所に装着されて用いられる、各種情報を表示及び伝達することが可能な薄型表示体であって、
一の外表面上に前記各種情報が表示された扁平袋状の基材と、前記扁平袋状の基材の内部に収納された、厚さが５０〜２００μｍの第１の樹脂層、前記各種情報を伝達することが可能な記録担体及び厚さが５０〜２００μｍの第２の樹脂層から構成された記録担体ユニットとを備えてなり、
前記記録担体が、前記第１の樹脂層及び前記第２の樹脂層の間に挟持、密封された状態で前記記録担体ユニットを構成してなることを特徴とする薄型表示体。
【請求項３】
前記記録担体が、デジタルＩＤである請求項１又は２に記載の薄型表示体。
【請求項４】
前記第１の樹脂層及び第２の樹脂層が、シリコーン樹脂層である請求項１〜３のいずれかに記載の薄型表示体。
【請求項５】
被表示体の所定個所に装着されて用いられる、各種情報を表示及び伝達することが可能な薄型表示体を製造する方法であって、
一面上に前記各種情報が表示された基材の他面上に、記録担体ユニットとして、厚さが５０〜２００μｍの第１の樹脂層、前記各種情報を伝達することが可能な記録担体及び厚さが５０〜２００μｍの第２の樹脂層をこの順に、かつ前記記録担体を前記第１の樹脂層及び前記第２の樹脂層の間に挟持、密封した状態で積層、配設して、薄型表示体を得ることを特徴とする薄型表示体の製造方法。
【請求項６】
被表示体の所定個所に装着されて用いられる、各種情報を表示及び伝達することが可能な薄型表示体を製造する方法であって、
厚さが５０〜２００μｍの第１の樹脂層と、厚さが５０〜２００μｍの第２の樹脂層との間に、前記各種情報を伝達することが可能な記録担体を挟持、密封して、記録担体ユニットを得、
得られた前記記録担体ユニットを、一面上に前記各種情報が表示された基材の他面上に配設して、薄型表示体を得ることを特徴とする薄型表示体の製造方法。
【請求項７】
被表示体の所定個所に装着されて用いられる、各種情報を表示及び伝達することが可能な薄型表示体を製造する方法であって、
厚さが５０〜２００μｍの第１の樹脂層と、厚さが５０〜２００μｍの第２の樹脂層との間に、前記各種情報を伝達することが可能な記録担体を挟持、密封して、記録担体ユニットを得、
得られた前記記録担体ユニットを、一の外表面上に前記各種情報が表示された扁平袋状の基材の内部に収納して、薄型表示体を得ることを特徴とする薄型表示体の製造方法。
【請求項８】
前記記録担体として、デジタルＩＤを用いる請求項５〜７のいずれかに記載の薄型表示体の製造方法。
【請求項９】
前記第１の樹脂層及び第２の樹脂層として、シリコーン樹脂層を用いる請求項５〜８のいずれかに記載の薄型表示体の製造方法。
【発明の詳細な説明】
【技術分野】
【０００１】
本発明は、薄型表示体及びその製造方法に関する。さらに詳しくは、身体を装飾したり、使用する際に身体に触れることになるため、その使用感が問題となる被表示体（例えば、被服、衣類、布地、寝具、タオル、ネクタイ、ハンカチ等）の着心地、使い心地を阻害することなく高度の情報の伝達が可能で、耐水性、耐薬品性、耐熱性、耐摩耗性、耐圧性等に優れた薄型表示体及びその効率的な製造方法に関する。
【背景技術】
【０００２】
身体を装飾したり、使用する際に身体に触れることになるため、その使用感が問題となる被表示体（例えば、被服、衣類、布地、寝具、タオル、ネクタイ、ハンカチ等）の、在庫管理、顧客管理、イベント（入場者等）の管理、虚偽表示対策等への活用が可能な各種情報、例えば、品番、製造時期、メーカー名、販売者名、ブランド名、色、サイズ、価格、品質表示、素材名、生産地、使用上の注意点（例えば、洗濯時の注意点）等の各種情報を表示することが可能な薄型表示体が、例えば、織ネーム、プリントネームとして、被服の襟元又は裏面側等の所定個所に装着されて用いられる。最近の高度情報化社会を反映して、表示すべき情報の量が増大し、このような薄型表示体の表面における文字、模様、図形等だけでは表示することが困難な状況になり、高度な情報機能が付加された（高度な情報の伝達が可能な）薄型表示体が求められている。このような要請に対応して、デジタルＩＤ等の記録担体を取り付けた薄型表示体が研究されている。
【発明の開示】
【発明が解決しようとする課題】
【０００３】
しかしながら、このような高度の情報の伝達が可能な記録担体は、それ自体、水、薬品、熱等に弱く、耐水性、耐薬品性、耐熱性等を向上させるため、例えば、樹脂によって全体を１ｍｍ以上の厚さに固めたものは知られているが、着心地や使い心地を問題とする被服等に用いられる薄型表示体としては、固すぎて異物感を与えることから、そのまま用いることはできないという問題があった。
【０００４】
本発明は、上述の問題に鑑みてなされたものであり、身体を装飾したり、使用する際に身体に触れることになるため、その使用感が問題となる被表示体（例えば、被服、衣類、布地、寝具、タオル、ネクタイ、ハンカチ等）の着心地、使い心地を阻害することなく高度の情報の伝達が可能で、耐水性、耐薬品性、耐熱性、耐摩耗性、耐圧性等に優れた薄型表示体及びその効率的な製造方法を提供することを目的とする。
【課題を解決するための手段】
【０００５】
上記目的を達成するため、本発明によれば、以下の薄型表示体及びその製造方法が提供される。
【０００６】
〔１〕被表示体の所定個所に装着されて用いられる、各種情報を表示及び伝達することが可能な薄型表示体であって、一面上に前記各種情報が表示された基材と、前記基材の他面上に配設された、厚さが５０〜２００μｍの第１の樹脂層、前記各種情報を伝達することが可能な記録担体及び厚さが５０〜２００μｍの第２の樹脂層から構成された記録担体ユニットとを備えてなり、前記記録担体ユニットが、前記第１の樹脂層側から前記基材の他面上に配設されてなるとともに、前記記録担体が、前記第１の樹脂層及び前記第２の樹脂層の間に挟持、密封された状態で前記記録担体ユニットを構成してなることを特徴とする薄型表示体。
【０００７】
〔２〕被表示体の所定個所に装着されて用いられる、各種情報を表示及び伝達することが可能な薄型表示体であって、一の外表面上に前記各種情報が表示された扁平袋状の基材と、前記扁平袋状の基材の内部に収納された、厚さが５０〜２００μｍの第１の樹脂層、前記各種情報を伝達することが可能な記録担体及び厚さが５０〜２００μｍの第２の樹脂層から構成された記録担体ユニットとを備えてなり、前記記録担体が、前記第１の樹脂層及び前記第２の樹脂層の間に挟持、密封された状態で前記記録担体ユニットを構成してなることを特徴とする薄型表示体。
【０００８】
〔３〕前記記録担体が、デジタルＩＤである前記〔１〕又は〔２〕に記載の薄型表示体。
【０００９】
〔４〕前記第１の樹脂層及び第２の樹脂層が、シリコーン樹脂層である前記〔１〕〜〔 ３〕のいずれかに記載の薄型表示体。
【００１０】
〔５〕被表示体の所定個所に装着されて用いられる、各種情報を表示及び伝達することが可能な薄型表示体を製造する方法であって、一面上に前記各種情報が表示された基材の他面上に、記録担体ユニットとして、厚さが５０〜２００μｍの第１の樹脂層、前記各種情報を伝達することが可能な記録担体及び厚さが５０〜２００μｍの第２の樹脂層をこの順に、かつ前記記録担体を前記第１の樹脂層及び前記第２の樹脂層の間に挟持、密封した状態で積層、配設して、薄型表示体を得ることを特徴とする薄型表示体の製造方法。
【００１１】
〔６〕被表示体の所定個所に装着されて用いられる、各種情報を表示及び伝達することが可能な薄型表示体を製造する方法であって、厚さが５０〜２００μｍの第１の樹脂層と、厚さが５０〜２００μｍの第２の樹脂層との間に、前記各種情報を伝達することが可能な記録担体を挟持、密封して、記録担体ユニットを得、得られた前記記録担体ユニットを、一面上に前記各種情報が表示された基材の他面上に配設して、薄型表示体を得ることを特徴とする薄型表示体の製造方法。
【００１２】
〔７〕被表示体の所定個所に装着されて用いられる、各種情報を表示及び伝達することが可能な薄型表示体を製造する方法であって、厚さが５０〜２００μｍの第１の樹脂層と、厚さが５０〜２００μｍの第２の樹脂層との間に、前記各種情報を伝達することが可能な記録担体を挟持、密封して、記録担体ユニットを得、得られた前記記録担体ユニットを、一の外表面上に前記各種情報が表示された扁平袋状の基材の内部に収納して、薄型表示体を得ることを特徴とする薄型表示体の製造方法。
【００１３】
〔８〕前記記録担体として、デジタルＩＤを用いる前記〔５〕〜〔７〕のいずれかに記載の薄型表示体の製造方法。
【００１４】
〔９〕前記第１の樹脂層及び第２の樹脂層として、シリコーン樹脂層を用いる前記〔５〕〜〔８〕のいずれかに記載の薄型表示体の製造方法。
【発明の効果】
【００１５】
本発明によって、身体を装飾したり、使用する際に身体に触れることになるため、その使用感が問題となる被表示体（例えば、被服、衣類、布地、寝具、タオル、ネクタイ、ハンカチ等）の着心地、使い心地を阻害することなく高度の情報の伝達が可能で、耐水性、耐薬品性、耐熱性、耐摩耗性、耐圧性等に優れた薄型表示体及びその効率的な製造方法が提供される。
【発明を実施するための最良の形態】
【００１６】
以下、本発明を実施するための最良の形態を図面を参照しつつ具体的に説明する。
【００１７】
図１は、本発明の薄型表示体の第１の実施の形態を模式的に示す断面図である。図２（ａ）は、本発明の薄型表示体の第１の実施の形態における、基材の一面上に情報表示がなされた状態を模式的に示す斜視図である。図２（ｂ）は、図２（ａ）に示す本発明の薄型表示体の第１の実施の形態における、基材の他面上に記録担体ユニットが配置された状態を模式的に示す斜視図である。図３は、本発明の薄型表示体が被表示体に装着（縫い付け）された状態を模式的に示す説明図である。
【００１８】
図１〜図３に示すように、第１の実施の形態の薄型表示体１０は、被表示体１の襟元又は裏面上等の所定個所（図示せず）に装着されて用いられる、各種情報２を表示及び伝達することが可能な薄型表示体１０であって、一面上に各種情報２が表示された基材３ａと、基材３ａの他面上に配設された、厚さが５０〜２００μｍ（好ましくは、８０〜１２０μｍ）の第１の樹脂層５、各種情報を伝達することが可能な記録担体４及び厚さが５０〜２００μｍ（好ましくは、８０〜１２０μｍ）の第２の樹脂層６から構成された記録担体ユニット７とを備えてなり、記録担体ユニット７が、第１の樹脂層５側から基材３ａの他面上に配設されてなるとともに、記録担体４が、第１の樹脂層５及び第２の樹脂層６の間に挟持、密封された状態で記録担体ユニット７を構成してなることを特徴とするものである。なお、図１〜図３においては薄型表示体１０として織ネーム（平織ネーム）を、被表示体１として被服（シャツ）を用いた場合を示している。また、図２（ａ）では「ＪＡＰＡＮ」の表示をした場合を示している。
【００１９】
本発明の第１の実施の形態の薄型表示体１０は、上述のように、高度な情報の伝達が必要で、身体を装飾したり、使用する際に身体に触れることになることからその使用感が問題となる被表示体１（例えば、被服、衣類、布地、寝具、タオル、ネクタイ、ハンカチ等）に有効に用いられるものであれば特に制限はないが、例えば、被服用の織ネーム、プリントネーム等を挙げることができる。なお、織ネームには、上述の平織ネームの他に、後に、本発明の第２の実施の形態の薄型表示体２０として示す、袋織ネームとがある。
【００２０】
本発明に用いられる基材３ａとしては、被服等の着心地、使い心地を阻害しない程度に柔軟で、耐水性、耐薬品性、耐熱性、耐摩耗性、耐圧性等を有するものであれば特に制限はないが、例えば、天然繊維、合成繊維の織布、不織布等を挙げることができる。各種情報２をプリントする場合には、プリント性に 優れるものが好ましく、また、被服に縫い付けて装着する場合は、作業性に優れているものであることが好ましい。なお、図２（ａ）においては、両端を内側に折り曲げて縫製して装着する場合を示すとともに、縫製箇所のミシン目を点線で示している。基材３ａの形状としては、被服等の着心地、使い心地を阻害しない程度の大きさであることが好ましい。
【００２１】
本発明に用いられる記録担体４としては、被服等の着心地、使い心地を阻害しない程度に小型のものであれば特に制限はないが、例えば、デジタルＩＤ等を挙げることができる。デジタルＩＤとしては、例えば、ＩＣチップ、ＩＣタグ等を挙げることができる。記録担体４が伝達することができる情報としては、被表示体の在庫管理、顧客管理、イベント（入場者等）の管理、虚偽表示対策等への活用が可能な各種情報、例えば、品番、製造時期、メーカー名、販売者名、ブランド名、色、サイズ、価格、品質表示、素材名、生産地、使用上の注意点（例えば、洗濯時の注意点）等を挙げることができる。
【００２２】
このような情報は、例えば、パソコンと、デジタルＩＤの読み書きが可能なシステムと、使用目的を達成し得るソフトウエアとを用いることによって、在庫管理、顧客管理、イベント（入場者等）の管理、虚偽表示対策等に活用することができる。具体的には、クリーニング等におけるＹシャツを顧客管理する場合、顧客の電話番号と氏名とによって顧客管理を円滑化することが可能となる。現状の方法の煩雑さ及び不便さ（Ｙシャツにホッチキスによって情報を記載したタブを固定しなければならず極めて煩雑であるとともに、一回だけの使用しかできず不便である）を解消することが可能となる。また、各種競技会において、競技者が身に付けるゼッケン、リストバンド、鉢巻き等に、記録担体４（例えば、デジタルＩＤ等）を配設した本発明の薄型表示体を装着することによって、競技結果の順位の特定、表示、記録等を円滑かつ正確に行うことが可能となる。
【００２３】
記録担体４の形状としては、薄型のものであれば特に制限はないが、例えば、板状、膜状、フィルム状、チップ状を挙げることができる。その大きさとしては、薄型表示体の全体の厚さが、１ｍｍ未満となるような厚さを有するものであることが好ましい。
【００２４】
本発明において、記録担体４は、基材３ａの他面上（各種情報２が配設された一面上とは反対側の裏面上）に配設されるため、洗濯時において摩擦を受けることがなく、耐摩耗性、耐圧性等に優れている。
【００２５】
本発明に用いられる第１の樹脂層５及び第２の樹脂層６を構成する樹脂としては、被服等の着心地、使い心地を阻害しない程度に柔軟で、耐水性、耐薬品性、耐熱性、耐摩耗性、耐圧性等を有するものであれば特に制限はないが、例えば、シリコーン樹脂、エポキシ樹脂、ウレタン樹脂、ナイロン樹脂、アクリル樹脂、ポリエチレン樹脂、酢酸ビニル樹脂等を挙げることができる。中でも、シリコーン樹脂が、硬化後に被服等の着心地、使い心地を阻害しない程度の柔軟性を有し、洗濯時における耐水性、耐薬品性、耐熱性、耐摩耗性、耐圧性等に優れるとともに、−４０℃〜２００℃程度の耐熱性を有することから好ましい。第１の樹脂層５及び第２の樹脂層６は、互いに同一のものでも異なったものであってもよい。また、第１の樹脂層５及び第２の樹脂層６それぞれは、同一種の樹脂であってもよく複数種の樹脂を混合したものであってもよい。第１の樹脂層５の厚さは、５０〜２００μｍであり、好ましくは、８０〜１２０μｍである。５０μｍ未満であると、柔軟製、耐水性、耐薬品性、耐熱性、耐摩耗性、耐圧性等に優れるという所期の効果を発揮できないことがあり、２００μｍを超えると、着心地や使い心地が悪くなる。また、第２の樹脂層６の厚さは、８０〜１２０μｍであり、好ましくは、８０〜１２０μｍである。５０μｍ未満であると、柔軟製、耐水性、耐薬品性、耐熱性、耐摩耗性、耐圧性等に優れるという所期の効果を発揮できないことがあり、２００μｍを超えると、着心地や使い心地が悪くなる。
【００２６】
本発明の第１の実施の形態の薄型表示体の第１の製造方法は、被表示体の所定個所に装着されて用いられる、各種情報を表示及び伝達することが可能な薄型表示体を製造する方法であって、一面上に各種情報が表示された基材の他面上に、記録担体ユニットとして、厚さが５０〜２００μｍ（好ましくは、８０〜１２０μｍ）の第１の樹脂層、各種情報を伝達することが可能な記録担体及び厚さが５０〜２００μｍ（好ましくは、８０〜１２０μｍ）の第２の樹脂層をこの順に、かつ記録担体を第１の樹脂層及び第２の樹脂層の間に挟持、密封した状態で積層、配設して、薄型表示体を得ることを特徴とするものである。
【００２７】
本発明の第１の実施の形態の薄型表示体の第２の製造方法は、被表示体の所定個所に装着されて用いられる、各種情報を表示及び伝達することが可能な薄型表示体を製造する方法であって、厚さが５０〜２００μｍ（好ましくは、８０〜１２０μｍ）の第１の樹脂層と、厚さが５０〜２００μｍ（好ましくは、８０〜１２０μｍ）の第２の樹脂層との間に、各種情報を伝達することが可能な記録担体を挟持、密封して、記録担体ユニットを得、得られた記録担体ユニットを、一面上に各種情報が表示された基材の他面上に配設して、薄型表示体を得ることを特徴とするものである。
【００２８】
第１の製造方法及び第２の製造方法においては、基材、記録担体、第１の樹脂層及び第２の樹脂層としては、第１の実施の形態の薄型表示体の説明において示したものと同様のものを用いることができる。
【００２９】
第１の製造方法において、第１の樹脂層を、基材の他面上に配設する方法としては、例えば、第１の樹脂層を構成する樹脂を基材の他面上に塗布する方法等を挙げることができる。塗布の方法としては、例えば、刷毛による塗布、スクリーン印刷による塗布等を挙げることができる。塗布する場合、乾燥後の厚さが５０〜２００μｍ、好ましくは、８０〜１２０μｍとなるようにすることが好ましい。
【００３０】
第１の製造方法において、第２の樹脂層を、第１の樹脂層及び記録担体上に配設する方法としては、例えば、第１の樹脂層を構成する樹脂を基材の他面上に塗布する方法等を挙げることができる。塗布の方法としては、例えば、刷毛による塗布、スクリーン印刷による塗布等を挙げることができる。塗布する場合、乾燥後の厚さが５０〜２００μｍ、好ましくは、８０〜１２０μｍとなるようにすることが好ましい。上述のようにすることによって、記録担体を第１の樹脂層及び第２の樹脂層の間に挟持、密封した状態で積層、配設して、薄型表示体を得ることができる。
【００３１】
第２の製造方法において、記録担体ユニットを、一面上に各種情報が表示された基材の他面上に配設して、薄型表示体を得る方法としては、例えば、基材の他面上への記録担体ユニットの接着剤による固定、基材の他面上への記録担体ユニットの縫製による固定等を挙げることができる。
【００３２】
図４は、本発明の薄型表示体の第２の実施の形態を模式的に示す断面図である。図５（ａ）は、本発明の薄型表示体の第２の実施の形態における、扁平袋状の基材の一外表面上に情報表示がなされた状態を模式的に示す斜視図である。図５（ｂ）は、図５（ａ）の一部切欠き拡大図である。
【００３３】
図４、図５（ａ）及び図５（ｂ）に示すように、第２の実施の形態の薄型表示体２０は、被表示体１（図３参照）の襟元又は裏面上等の所定個所に装着されて用いられる、各種情報２を表示及び伝達することが可能な薄型表示体２０であって、一の外表面上に各種情報２が表示された扁平袋状の基材３ｂと、扁平袋状の基材３ｂの内部に収納された、厚さが５０〜２００μｍの第１の樹脂層５、各種情報を伝達することが可能な記録担体４及び厚さが５０〜２００μｍの第２の樹脂層６から構成された記録担体ユニット７とを備えてなり、記録担体４が、第１の樹脂層５及び第２の樹脂層６の間に挟持、密封された状態で記録担体ユニット７を構成してなることを特徴とするものである。なお、図４、図５（ａ）及び図５（ｂ）においては薄型表示体２０として織ネーム（袋ネーム）を、被表示体として被服（シャツ）を用いた場合を示している。また、図５（ａ）では「ＪＡＰＡＮ」の表示をした場合を示している。
【００３４】
本発明の薄型表示体の第２の実施の形態において用いられる扁平袋状の基材３ｂとしては、例えば、上述の基材を二枚用いて、少なくとも一方の端部が開放した扁平袋状の形状に成形したものを挙げることができる。なお、本発明の薄型表示体の第２の実施の形態においては、扁平袋状の基材３ｂを除いて、記録担体４、第１の樹脂層５、第２の樹脂層６、記録担体ユニット７は、第１の実施の形態に用いたものと同様のものを用いることができる。被服等に縫い付けて装着する場合は、作業性に優れているものであることが好ましい。なお、図５（ａ）及び図５（ｂ）においては、扁平袋状の基材３ｂの両端を内側に折り曲げた状態で縫製して被服等に装着する場合を示すとともに、縫製箇所のミシン目を点線で示している。このように構成することによって、扁平袋状の基材３ｂの開放端を閉鎖した状態で被服等に装着することができる。
【００３５】
本発明の第２の実施の形態の薄型表示体の製造方法は、被表示体の所定個所に装着されて用いられる、各種情報を表示及び伝達することが可能な薄型表示体を製造する方法であって、厚さが５０〜２００μｍの第１の樹脂層と、厚さが５０〜２００μｍの第２の樹脂層との間に、各種情報を伝達することが可能な記録担体を挟持、密封して、記録担体ユニットを得、得られた記録担体ユニットを、一の外表面上に各種情報が表示された扁平袋状の基材の内部に収納して、薄型表示体を得ることを特徴とするものである。
【００３６】
ここで、厚さが５０〜２００μｍの第１の樹脂層と、厚さが５０〜２００μｍの第２の樹脂層との間に、各種情報を伝達することが可能な記録担体を挟持、密封して、記録担体ユニットを得る方法としては、例えば、接着剤をそれぞれ塗布した第１の樹脂層及び第２の樹脂層の表面間に、記録担体を挟持、密封するように配設、固定することを挙げることができる。
【産業上の利用可能性】
【００３７】
本発明の薄型表示体及びその製造方法は、高度な情報の伝達が必要で、身体を装飾したり、使用する際に身体に触れることになることから、その使用感が問題となる被表示体（例えば、被服、衣類、布地、寝具、タオル、ネクタイ、ハンカチ等）を取り扱う各種産業において有用である。
【図面の簡単な説明】
【００３８】
【図１】本発明の薄型表示体の第１の実施の形態を模式的に示す断面図である。
【図２（ａ）】本発明の薄型表示体の第１の実施の形態における、基材の一面上に情報表示がなされた状態を模式的に示す斜視図である。
【図２（ｂ）】図２（ａ）に示す本発明の薄型表示体の第１の実施の形態における、基材の他面上に記録担体ユニットが配置された状態を模式的に示す斜視図である。
【図３】本発明の薄型表示体が、被表示体に装着（縫い付け）された状態を模式的に示す説明図である。
【図４】本発明の薄型表示体の第２の実施の形態を模式的に示す断面図である。
【図５（ａ）】本発明の薄型表示体の第２の実施の形態における、扁平袋状の基材の一外表面上に情報表示がなされた状態を模式的に示す斜視図である。
【図５（ｂ）】図５（ａ）の一部切欠き拡大図である。
【符号の説明】
【００３９】
１…被服、２…情報表示、３ａ…基材、３ｂ…扁平袋状の基材、４…記録担体、５…第１の樹脂層、６…第２の樹脂層、７…記録担体ユニット、１０，２０…薄型表示体。
【図１】
2005331917.tif 000003
【図２（ａ）】
2005331917.tif 000004
【図２（ｂ）】
2005331917.tif 000005
【図３】
2005331917.tif 000006
【図４】
2005331917.tif 000007
【図５（ａ）】
2005331917.tif 000008
【図５（ｂ）】
2005331917.tif 000009